(57)【要約】  本発明は、生産効率を高めながら、高品質な金属酸化膜を得る金属酸化膜の成膜方法を得ることを目的とする。そして、本発明の成膜方法は以下の処理を実行する。溶液容器（１５）内において、金属元素であるアルミニウムを含む原料溶液（１４）をミスト化させて原料溶液ミスト（Ｍ１）を得る。溶液容器（１５）とは独立した溶液容器（２５）内において、反応支援溶液（２４）をミスト化させて支援剤ミスト（Ｍ２）を得る。互いに独立した経路Ｌ１及びＬ２を介して得られる原料溶液ミスト（Ｍ１）及び支援剤ミスト（Ｍ２）を混合容器（８）に供給した後、混合容器（８）内において、原料溶液ミスト（Ｍ１）と支援剤ミスト（Ｍ２）とを混合して混合ミスト（Ｍ３）を得る。そして、混合容器（８）と独立して設けられた反応容器(１１)内において、大気圧下において加熱状態にあるＰ型シリコン基板(４)の裏面上に混合ミスト（Ｍ３）を供給する。
2016203595.tif 000002
【特許請求の範囲】
【請求項１】
(a) 第１の容器（１５）内において、金属元素を含む原料溶液（１４）をミスト化させて原料溶液ミスト（Ｍ１）を得るステップと、
(b) 前記第１の容器と独立した第２の容器（２５）内において、前記金属元素用の反応支援剤を含む反応支援溶液（２４）をミスト化させて支援剤ミスト（Ｍ２）を得るステップと、
(c) 互いに独立した第１及び第２の経路（Ｌ１，Ｌ２）を介して前記原料溶液ミスト及び前記支援剤ミストを受ける混合容器（８）内において、前記原料溶液ミストと前記支援剤ミストとを混合して混合ミスト（Ｍ３）を得るステップと、
(d) 前記ステップ(c) で得た前記混合ミストを反応容器内における基板の一方主面上に供給しつつ、前記基板（４）を加熱して、前記基板の一方主面上に前記金属元素を含む金属酸化膜を成膜するステップとを備える、
金属酸化膜の成膜方法。
【請求項２】
請求項１記載の金属酸化膜の成膜方法であって、
前記混合容器は、
容器本体（８０）と、
前記第１及び第２の経路に接続され、前記原料溶液ミスト及び前記支援剤ミストを前記容器本体内に供給する第１及び第２のミスト供給部（８１，８２）と、
前記容器本体の内部に設けられた混合ミスト入力口（８３Ｉ）及び前記容器本体の外部に設けられた混合ミスト出力口（８３Ｏ）を有し、前記混合ミスト入力口から前記混合ミストを受け、前記混合ミスト出力口から前記混合ミストを取り出すミスト取り出し部（８３）とを含み、前記混合ミスト出力口から得られる前記混合ミストが第３の経路（Ｌ３）を介して前記反応容器内に供給され、
前記容器本体は内部に、前記第１及び第２のミスト供給部から供給された前記原料溶液ミスト及び前記支援剤ミストを流通させつつ前記混合ミスト入力口に導く混合経路（Ｒ８０）を有する、
金属酸化膜の成膜方法。
【請求項３】
請求項２記載の金属酸化膜の成膜方法であって、
前記第１及び第２のミスト供給部は前記容器本体において互いに同一の形成高さに設けられ、前記混合ミスト入力口は前記第１及び第２のミスト供給部より低い形成高さに設けられる、
金属酸化膜の成膜方法。
【請求項４】
請求項３記載の金属酸化膜の成膜方法であって、
前記容器本体は円筒形状を呈し、
前記ミスト取り出し部は前記容器本体内の平面視中央部に設けられ、内部空洞の円筒形状を呈し、前記混合ミスト入力口を下面に有し、前記混合ミスト出力口を上面に有し、
前記混合経路は、前記容器本体の側面内周部と前記ミスト取り出し部の側面外周部との間の空間によって平面視して円周状に形成される、
金属酸化膜の成膜方法。
【請求項５】
請求項４記載の金属酸化膜の成膜方法であって、
前記第１及び第２のミスト供給部は、
前記容器本体の側面内周部の接線方向に沿って前記原料溶液ミスト及び前記支援剤ミストを供給するように設けられる、
金属酸化膜の成膜方法。
【発明の詳細な説明】
【技術分野】
【０００１】
この発明は、ミスト法を用いて基板上に金属酸化膜を成膜する金属酸化膜の成膜方法に関する。
【背景技術】
【０００２】
太陽電池、ＦＰＤ(Flat Panel Display)、ＬＥＤ（Light Emitting Diode）等の発光デバイスやタッチパネルなどの分野では、基板上に金属酸化膜が形成される。従来、非真空成膜技術を用いて金属酸化膜を基板上に成膜する方法として、スプレー法、ゾルゲル法、ミストＣＶＤ(Chemical Vapor Deposition)法等の大気開放溶液系の金属酸化膜の成膜方法がある。【０００３】
これらの成膜方法は、目的とする金属酸化膜を成膜する時、その原料溶液は一種類である。原料溶液を予め調合することは可能であるが、金属酸化膜の成膜時には、調合した一種類の原料溶液を利用することになる。【０００４】
このように、従来の非真空成膜技術を用いた金属酸化膜の成膜方法は、成膜時には、調合した一種類の原料溶液を利用するため、原料溶液によって金属酸化膜を成膜するために必要な反応エネルギーは一意に決定されている。【０００５】
原料溶液によって金属酸化膜を成膜する際の反応エネルギーを低下させて、金属酸化膜の成膜速度を促進させる方法として、従来、以下の２種類の方法があった。【０００６】
まず、直接的に行う第１の方法として、予め原料溶液に反応支援剤を混合することにより上記反応エネルギーを低下させる方法が考えられる。第１の方法として例えば、特許文献１に開示された金属酸化膜の成膜方法がある。【０００７】
図７は特許文献１で開示された、第１の方法を用いた従来の成膜装置２００の概略構成を示す説明図である。【０００８】
同図に示すように、同一の溶液容器１５内の原料溶液１８（亜鉛を含む溶液）及び反応支援溶液２４（アンモニア液）が供給されており、ミスト化器１６により原料溶液１８，反応支援溶液２４の混合溶液３４をミスト化して、ミスト化された混合溶液３４である混合ミストＭ４を得ている。【０００９】
そして、混合ミストＭ４は、経路Ｌ１１を通って、反応容器１１内のＰ型シリコン基板４の裏面（上面）に向けて供給され、Ｐ型シリコン基板４の裏面上に裏面パッシベーション膜５（酸化アルミニウム膜）が成膜される。【００１０】
特許文献１で開示された成膜方法では、ミスト法を用いた金属酸化膜（酸化亜鉛薄膜）の成膜に際し、原料溶液１８と反応支援剤（アンモニア水）を含む反応支援溶液２４とを同じ霧化器（溶液容器１５，ミスト化器１６）内で混合して混合ミストＭ４を得て、反応容器１１内のＰ型シリコン基板４の裏面（一方主面）に向けて混合ミストＭ４を供給することにより、上記反応エネルギーの低下を図っている。【００１１】
一方、間接的に行う第２の方法として、反応支援ガスを上記反応容器に別途供給して、金属酸化膜の成膜時の雰囲気を調整することにより、上記反応容器内においてミスト化された原料溶液によって金属酸化膜の成膜時における上記反応エネルギーの低下を図るとともに、金属酸化膜の高品質化を実現する方法である。
【先行技術文献】
【特許文献】
【００１２】
【特許文献１】国際公開第２０１１／１５１８８９号パンフレット
【発明の概要】
【発明が解決しようとする課題】
【００１３】
しかしながら、上述した第１の方法は、同じ霧化器内で混合して混合ミストを得ているため、原料溶液１８と反応支援溶液２４とは常に反応する環境下（霧化器内）に置かれていることになる。したがって、表面電極１と反応支援溶液２４との反応時間が長期化するに伴い、混合ミストＭ４が所望の性質から劣化してしまう結果、膜質の良い金属酸化膜を成膜することができないという問題点があった。例えば、混合ミストＭ４の原料としての不安定化や、混合ミストＭ４内に金属酸化膜の成膜に不必要な反応物の発生などが生じるため、金属酸化膜の高品質化や再現性のある安定した成膜の実現を困難にしてしまう。【００１４】
また、第２の方法は、反応容器に供給する反応支援ガスは気体であるため、第１の方法に比べ、反応支援ガスによる反応促進の度合は弱く、反応速度の低下や膜内における不均一な分布による金属酸化膜の膜質低下などが生じる可能性が高いという問題点があった。【００１５】
この発明は上記問題点を解決するためになされたもので、生産効率を高めながら、高品質な金属酸化膜を得る金属酸化膜の成膜方法を得ることを目的とする。
【課題を解決するための手段】
【００１６】
この発明における金属酸化膜の成膜方法は、(a) 第１の容器内において、金属元素を含む原料溶液をミスト化させて原料溶液ミストを得るステップと、(b) 前記第１の容器と独立した第２の容器内において、前記金属元素用の反応支援剤を含む反応支援溶液をミスト化させて支援剤ミストを得るステップと、(c) 互いに独立した第１及び第２の経路を介して前記原料溶液ミスト及び前記支援剤ミストを受ける混合容器内において、前記原料溶液ミストと前記支援剤ミストとを混合して混合ミストを得るステップと、(d) 前記ステップ(c) で得た前記混合ミストを反応容器内における基板の一方主面上に供給しつつ、前記基板を加熱して、前記基板の一方主面上に前記金属元素を含む金属酸化膜を成膜するステップとを備える。
【発明の効果】
【００１７】
この発明における金属酸化膜の成膜方法は、ステップ(d)の実行時において、原料溶液ミスト及び支援剤ミストを混合した混合ミストを基板の一方主面上に供給することにより、金属元素を含む金属酸化膜の成膜速度を向上させて生産効率の向上を図ることができる。【００１８】
さらに、ステップ(d) 実行前のステップ(c) の実行時に、混合容器内において、原料溶液ミストと支援剤ミストとを混合させた混合ミストを予め得ることにより、原料溶液ミストと支援剤ミストとが適度に反応した状態の混合ミストをステップ(d)の実行時に安定性良く供給することができるため、金属酸化膜の膜質向上を図ることができる。【００１９】
加えて、ステップ(a) 及びステップ(b)において、互いに独立した第１及び第２の容器内に原料溶液ミスト及び支援剤ミストを得ており、原料溶液ミストと支援剤ミストとの反応はステップ(c) の実行時に混合容器内にではじめて行われる。このため、ステップ(c) の実行前に原料溶液ミストと支援剤ミストとが不必要に反応してしまう現象を確実に回避することにより、金属酸化膜の膜質を高品質に保つことができる。【００２０】
この発明の目的、特徴、局面、及び利点は、以下の詳細な説明と添付図面とによって、より明白となる。
【図面の簡単な説明】
【００２１】
【図１】この発明の実施の形態１である裏面パッシベーション膜の成膜方法を実現するための成膜装置の概略構成を示す説明図である。
【図２】図１で示した成膜装置の反応容器及びその周辺を具体的に示す説明図である。
【図３】実施の形態１の裏面パッシベーション膜の成膜方法による効果を示すグラフである。
【図４】この発明の実施の形態２である裏面パッシベーション膜５の成膜方法を実現するための成膜装置の概略構成を示す説明図である。
【図５】図４で示した混合容器の構造の詳細を示す説明図である。
【図６】本実施の形態である裏面パッシベーション膜の製造方法を用いて製造される太陽電池構造を示す断面図である。
【図７】従来の成膜装置の概略構成を示す説明図である。
【発明を実施するための形態】
【００２２】
＜前提技術（太陽電池構造）＞
図６は、本実施の形態（実施の形態１，実施の形態２）である金属酸化膜の製造方法を用いて製造される太陽電池構造を示す断面図である。
【００２３】
図６に示すように、Ｐ型の導電型を有するシリコン基板４（以下、「Ｐ型シリコン基板４」と称する）の表面（他方主面）上に、Ｎ型の導電型を有するシリコン層３（以下、「Ｎ型シリコン層３」と称する）が形成されている。なお、図６ではＰ型シリコン基板４の表面が上面、裏面が下面となる態様で示されている。
【００２４】
また、Ｎ型シリコン層３の表面には、透明性を有する表面パッシベーション膜２が形成されている。そして、表面パッシベーション膜２の一部を貫通して、Ｎ型シリコン層３の表面上に表面電極１が選択的に形成されることにより、表面電極１はＮ型シリコン層３と電気的に接続される。
【００２５】
さらに、Ｐ型シリコン基板４の裏面（一方主面）上には、裏面パッシベーション膜５（金属酸化膜）が形成されている。この裏面パッシベーション膜５として、酸化アルミニウム膜（Ａｌ２Ｏ３薄膜）あるいは、酸化アルミニウム膜とシリコン窒化膜との積層膜を採用している。そして、裏面パッシベーション膜５の一部を貫通してＰ型シリコン基板４の裏面上に直接形成されるとともに、裏面パッシベーション膜５の裏面上にかけて裏面電極６が形成される。したがって、裏面電極６はＰ型シリコン基板４と電気的に接続される。
【００２６】
図６に示す太陽電池構造において、表面パッシベーション膜２側から入射し、Ｎ型シリコン層３及びＰ型シリコン基板４間におけるＰＮ接合部に到達した光によりキャリアが発生し、発電し、当該発電した電気が電極１，６から取り出される。
【００２７】
キャリアのライフタイムの低減を抑制するために、パッシベーション膜２，５が形成される。つまり、Ｎ型シリコン層３の表面あるいはＰ型シリコン基板４の裏面において欠陥（格子欠陥等）が多く発生しており、当該欠陥を介して光照射により発生した少数キャリアが再結合される。そこで、Ｎ型シリコン層３の表面上及びＰ型シリコン基板４の裏面上に表面パッシベーション膜２及び裏面パッシベーション膜５を形成することにより、キャリアの再結合を抑制し、結果としてキャリアのライフタイムを向上させることができる。
【００２８】
本発明は、太陽電池の製造方法等で利用される、Ｐ型シリコン基板４（基板）の裏面（一方主面）上に形成される金属酸化膜である裏面パッシベーション膜５の生産効率向上及び膜質向上に関するものであり、以下、本発明をその実施の形態を示す図面に基づいて具体的に説明する。
【００２９】
＜実施の形態１＞
図１は、この発明の実施の形態１である、裏面パッシベーション膜５（金属酸化膜）の成膜方法を実現するための成膜装置の概略構成を示す説明図である。
【００３０】
図１に示すように、本実施の形態の成膜方法で用いる成膜装置１０１は、反応容器１１、反応容器１１を加熱する加熱器１３、原料溶液１４を収容する溶液容器１５、溶液容器１５内の原料溶液１４をミスト化するミスト化器１６、反応支援剤を含む反応支援溶液２４を収容する溶液容器２５、及び溶液容器２５内の反応支援溶液２４をミスト化するミスト化器２６から構成されている。なお、反応支援剤は、ミスト法を用いた裏面パッシベーション膜５（金属酸化膜）の成膜工程における反応促進を目的として用いられる。
【００３１】
このような構成において、ミスト化器１６によりミスト化された原料溶液１４である原料溶液ミストＭ１は経路Ｌ１（第１の経路）を介して、反応容器１１に供給される。一方、ミスト化器２６によりミスト化された反応支援溶液２４である支援剤ミストＭ２は経路Ｌ１と独立して設けられた経路Ｌ２（第２の経路）を介して、反応容器１１に供給される。
【００３２】
経路Ｌ１及びＬ２を介して反応容器１１内に供給される原料溶液ミストＭ１及び支援剤ミストＭ２は、反応容器１１内で混合されて得られる混合ミストＭ３として反応容器１１内のＰ型シリコン基板４の裏面上に噴霧されることにより、Ｐ型シリコン基板４の裏面上に酸化アルミニウム膜からなる裏面パッシベーション膜５を成膜することができる。この際、Ｐ型シリコン基板４は、裏面が上面、表面が下面となる態様で、反応容器１１内の加熱器１３上に載置される。
【００３３】
すなわち、加熱器１３上にＰ型シリコン基板４が載置されている状態で、大気圧下の反応容器１１内に、混合ミストＭ３（粒径の小さい液状の原料溶液１４と反応支援溶液２４との混合溶液）が供給され、所定の反応により、Ｐ型シリコン基板４の裏面上には裏面パッシベーション膜５が成膜される。
【００３４】
加熱器１３は、ヒータ等であり、当該加熱器１３に載置されたＰ型シリコン基板４を加熱することができる。図示しない外部制御部により、成膜時には、酸化アルミニウム膜で構成される裏面パッシベーション膜５の成膜に必要な温度に達するまで加熱器１３は加熱される。
【００３５】
溶液容器１５内には、裏面パッシベーション膜５を成膜するための材料溶液となる原料溶液１４が充填されている。この原料溶液１４は、金属元素として、アルミニウム（Ａｌ）元素が含まれている材料溶液である。
【００３６】
ミスト化器１６として、例えば超音波霧化装置を採用できる。超音波霧化装置であるミスト化器１６は、溶液容器１５内の原料溶液１４に対して超音波を印加することにより、溶液容器１５内の原料溶液１４をミスト化させる。ミスト化された原料溶液１４である原料溶液ミストＭ１は、経路Ｌ１を通って、反応容器１１内に向けて供給される。
【００３７】
溶液容器２５内には、アルミニウム元素用の反応支援溶液２４が充填されている。この反応支援溶液２４にはアンモニア液（ＮＨ3）により構成される。
【００３８】
ミスト化器１６と同一機能を有するミスト化器２６は、溶液容器２５内の反応支援溶液２４に対して超音波を印加することにより、溶液容器２５の反応支援溶液２４をミスト化させる。ミスト化された反応支援溶液２４である支援剤ミストＭ２は、経路Ｌ２を通って、反応容器１１内に向けて供給される。
【００３９】
図２は実施の形態１における成膜装置１０１の反応容器１１及びその周辺を具体的に示す説明図である。
【００４０】
互いに異なる経路Ｌ１及びＬ２を介して原料溶液ミストＭ１及び支援剤ミストＭ２が反応容器１１内の（成膜）ノズル１２に供給されると、ノズル１２内にて原料溶液ミストＭ１と支援剤ミストＭ２とが混合され、ノズル１２からＰ型シリコン基板４の上面上に混合ミストＭ３が供給される。
【００４１】
その結果、加熱中である大気圧下のＰ型シリコン基板４の裏面上において、混合ミストＭ３が反応し、Ｐ型シリコン基板４の裏面上に裏面パッシベーション膜５が成膜される。さらに、ノズル１２には経路Ｌ９からオゾンガスＧ９が供給される。したがって、ノズル１２からＰ型シリコン基板４の裏面上に、混合ミストＭ３に加え、オゾンガスＧ９が供給される。オゾンガスＧ９は混合ミストＭ３の反応促進用に用いられる。すなわち、オゾンガスＧ９は従来の間接的な第２の方法用の反応促進ガスとして用いられる。
【００４２】
（製造方法）
次に、実施の形態１の裏面パッシベーション膜５（酸化アルミニウム膜）の成膜方法について説明する。
【００４３】
まず、構成材料を結晶シリコンとしたシリコン基板に対して所定の不純物を導入することにより、Ｐ型の導電型を有するＰ型シリコン基板４を作製する。そして、このＰ型シリコン基板４を、反応容器１１内の加熱器１３の上に載置する。このとき、Ｐ型シリコン基板４は、裏面が上面、表面が下面となる態様で加熱器１３上に載置され、反応容器１１内は大気圧に設定される。
【００４４】
そして、加熱器１３により、加熱器１３上に載置されているＰ型シリコン基板４は、酸化アルミニウム膜からなる裏面パッシベーション膜５の成膜温度に達するまで加熱され、成膜温度でＰ型シリコン基板４の温度は保持されている。
【００４５】
一方、溶液容器１５内において、ミスト化器１６により、原料溶液１４をミスト化させて原料溶液ミストＭ１が得られる。原料溶液ミストＭ１（粒径の小さい液状の原料溶液１４）は、経路Ｌ１を通って、整流され、反応容器１１内へ供給される。ここで、原料溶液１４には、アルミニウムが金属源として含有されている。
【００４６】
上述したように、溶液容器１５（第１の容器）内において、金属元素であるアルミニウムを含む原料溶液１４をミスト化させて原料溶液ミストＭ１を得ている。
【００４７】
一方、溶液容器２５内において、ミスト化器２６により、反応支援溶液２４はミスト化されて支援剤ミストＭ２が得られる。支援剤ミストＭ２（粒径の小さい液状の反応支援溶液２４）は、経路Ｌ２を通って、整流され、反応容器１１内へ供給される。ここで、反応支援溶液２４としてアンモニア水が用いられる。
【００４８】
このように、溶液容器１５とは独立した溶液容器２５（第２の容器）内において、酸化アルミニウム形成用の反応支援剤を含む反応支援溶液２４をミスト化させて支援剤ミストＭ２を得ている。
【００４９】
そして、経路Ｌ１及びＬ２（第１及び第２の経路）を介して反応容器１１内に設けられたノズル１２に原料溶液ミストＭ１及び支援剤ミストＭ２を供給する。その後、ノズル１２内で原料溶液ミストＭ１と支援剤ミストＭ２とを混合して混合ミストＭ３を得る。そして、加熱状態にあるＰ型シリコン基板４の裏面（一方主面）上に混合ミストＭ３を供給する。さらに、ノズル１２からＰ型シリコン基板４の裏面上にオゾンガスＧ９も供給される。
【００５０】
このように、大気圧下で、混合ミストＭ３を加熱状態のＰ型シリコン基板４の裏面に対して噴霧することにより、金属酸化膜である酸化アルミニウムからなる裏面パッシベーション膜５をＰ型シリコン基板４の裏面上に成膜することができる。
【００５１】
さらに、混合ミストＭ３に含まれる支援剤ミストＭ２によって、裏面パッシベーション膜５の成膜に要する反応エネルギーを低下させることにより、比較的低温下で裏面パッシベーション膜５を成膜することができる。加えて、オゾンガスＧ９もＰ型シリコン基板４の裏面上に供給されるため、混合ミストＭ３の材料化合物の分解・酸化を促進することができる。
【００５２】
その後、裏面パッシベーション膜５が成膜されたＰ型シリコン基板４を用いて、図６に示した太陽電池構造を作製する。一般的には、裏面パッシベーション膜５は、表面パッシベーション膜２及びＮ型シリコン層３形成後に行われ、その後、表面電極１及び裏面電極６が形成される。なお、表面パッシベーション膜２及び裏面パッシベーション膜５の成膜順序は逆にしても良い。
【００５３】
図３は実施の形態１の裏面パッシベーション膜５の成膜方法による効果を示すグラフである。同図において、実施の形態１の製造方法で成膜された裏面パッシベーション膜５と、図７で示した従来の第１の方法それぞれによって成膜された裏面パッシベーション膜５との絶縁破壊電界強度（ＭＶ／ｃｍ）をそれぞれ示している。
【００５４】
同図に示すように、実施の形態１の成膜方法で成膜された裏面パッシベーション膜５は、従来の成膜方法で成膜された裏面パッシベーション膜５に比べ、大幅に（５倍程度）絶縁破壊電界強度が向上していることがわかる。
【００５５】
以上のように、実施の形態１の太陽電池の製造方法における裏面パッシベーション膜５（金属酸化膜）の成膜方法は、ミスト法（つまり、大気圧下において、混合ミストＭ３を噴霧する成膜方法）により、Ｐ型シリコン基板４の裏面上に裏面パッシベーション膜５を成膜している。
【００５６】
上述したように、実施の形態１の裏面パッシベーション膜５の成膜方法は、反応容器１１内において、原料溶液ミストＭ１と支援剤ミストＭ２とを混合して混合ミストＭ３が得られる環境を設けることにより、裏面パッシベーション膜５の成膜速度を向上させて生産効率の向上を図ることができる。
【００５７】
また、支援剤ミストＭ２が含まれる混合ミストＭ３によって裏面パッシベーション膜５の成膜のための反応エネルギーを低下させることができるため、原料溶液ミストＭ１のみで成膜する場合に比べ低温な状況下で裏面パッシベーション膜５を成膜することができる。
【００５８】
加えて、成膜用のノズル１２内で原料溶液ミストＭ１と支援剤ミストＭ２とを混合して、Ｐ型シリコン基板４の裏面上に混合ミストＭ３を確実に供給することができるため、裏面パッシベーション膜５の生産効率の向上を確実に図ることができる。
【００５９】
この際、互いに独立した溶液容器１５及び溶液容器２５内で原料溶液ミストＭ１及び支援剤ミストＭ２をそれぞれ個別に得ているため、原料溶液ミストＭ１と支援剤ミストＭ２との反応は反応容器１１内ではじめて行われる。したがって、溶液容器１５内、溶液容器２５内、あるいは経路Ｌ１及びＬ２を介した原料溶液ミストＭ１及び支援剤ミストＭ２の供給中に、裏面パッシベーション膜５の成膜を妨げるような原料溶液ミストＭ１と支援剤ミストＭ２との反応物が発生することはない。
【００６０】
このため、反応容器１１内で行う裏面パッシベーション膜５の成膜ステップの実行前に原料溶液ミストＭ１と支援剤ミストＭ２とが不必要に反応してしまう現象を確実に回避することができるため、図３で示したように、裏面パッシベーション膜５の膜質向上を図ることができる。
【００６１】
また、混合ミストＭ３は、ガスに比べ１０００倍の密度を有しているため、反応容器１１内における雰囲気は、従来の第２の方法で用いたガス状の支援剤に比べ１０００倍も高密度な雰囲気を実現できる。このため、従来の第２の方法に比べて高品質な裏面パッシベーション膜５を低温加熱状態でも作製することができる。
【００６２】
なお、実施の形態１では、図２で示したように、反応支援ガスであるオゾンガスＧ９を反応容器１１内にさらに供給することにより、混合ミストＭ３の材料化合物の分解・酸化を促進することができる。この促進作用により、低温加熱状態であってもＰ型シリコン基板４の裏面上において、裏面パッシベーション膜５を成膜することができる。
【００６３】
上述した金属酸化膜（裏面パッシベーション膜５）の膜質効果は、原料溶液１４に含まれる金属元素がアルミニウムであり、酸化アルミニウムからなる裏面パッシベーション膜５を成膜する際に特に顕著となる。
【００６４】
さらに、酸化アルミニウムからなる裏面パッシベーション膜５を成膜する場合、反応支援溶液２４として上述したアンモニア水、あるいはアンモニア水に代えて塩酸を含む溶液を用いることが望ましい。
【００６５】
＜実施の形態１の課題＞
上述した実施の形態１は、原料溶液１４と反応支援溶液２４とを別々の溶液容器１５及び溶液容器２５内でミスト化させ、発生したそれぞれの原料溶液ミストＭ１及び支援剤ミストＭ２を、反応容器１１内に設けられたノズル１２へ異なる経路Ｌ１及びＬ２を介して供給し、ノズル１２内にて混合ミストＭ３を得た後に裏面パッシベーション膜５の成膜を行う方法である。
【００６６】
しかしながら、反応容器１１内に設けられたノズル１２内での原料溶液ミストＭ１と支援剤ミストＭ２との混合では、原料溶液ミストＭ１と支援剤ミストＭ２とが効率良く混合されず、混合状態が不十分であり混合ミストＭ３が所望の性質を有さない状態となる可能性がある。したがって、ノズル１２内で得られた混合ミストＭ３によって裏面パッシベーション膜５の成膜が行われた場合、高品質な裏面パッシベーション膜５を確実に得ることができないという課題が残る。
【００６７】
上記課題の解決を図ったのが以下で述べる実施の形態２による裏面パッシベーション膜５の成膜方法である。
【００６８】
＜実施の形態２＞
図４は、この発明の実施の形態２である、裏面パッシベーション膜５の成膜方法を実現するための成膜装置の概略構成を示す説明図である。以下、図１及び図２で示した実施の形態１の成膜装置１０１と同様な構成の説明を適宜省略して、実施の形態１と異なる構成を中心に説明する。
【００６９】
図４に示すように、本実施の形態の成膜方法で用いる成膜装置１０２は、経路Ｌ１及びＬ２と反応容器１１との間に混合容器８を設けたことを特徴としている。すなわち、混合容器８は２つの入力部Ｉ１及びＩ２並びに１つの出力部Ｏ３を有し、入力部Ｉ１は経路Ｌ１に接続され、入力部Ｉ２は経路Ｌ２に接続され、出力部Ｏ３は経路Ｌ３（第３の経路）に接続され、経路Ｌ３が反応容器１１内のノズル１２に接続される。
【００７０】
図４で示す構成において、経路Ｌ１及びＬ２を介して原料溶液ミストＭ１及び支援剤ミストＭ２は混合容器８に供給される。原料溶液ミストＭ１及び支援剤ミストＭ２とは、混合容器８内で混合され混合ミストＭ３として経路Ｌ３を介して反応容器１１内のノズル１２に供給され、ノズル１２からＰ型シリコン基板４の裏面上に混合ミストＭ３が供給される。
【００７１】
したがって、加熱器１３上にＰ型シリコン基板４が載置されている状態で、大気圧下の反応容器１１内に、実施の形態１と同様、ノズル１２から混合ミストＭ３が供給され、所定の反応により、Ｐ型シリコン基板４の裏面上には裏面パッシベーション膜５が成膜される。
【００７２】
その結果、加熱中である大気圧下のＰ型シリコン基板４の裏面上において、混合ミストＭ３が反応し、Ｐ型シリコン基板４の裏面上に裏面パッシベーション膜５が成膜される。
【００７３】
（製造方法）
次に、実施の形態２である、裏面パッシベーション膜５（酸化アルミニウム膜）の成膜方法について説明する。なお、実施の形態１と同じ内容については適宜説明を省略する。
【００７４】
まず、実施の形態１と同様、Ｐ型シリコン基板４を、反応容器１１内の加熱器１３の上に載置する。
【００７５】
そして、加熱器１３により、加熱器１３上に載置されているＰ型シリコン基板４は、酸化アルミニウム膜からなる裏面パッシベーション膜５の成膜温度に達するまで加熱され、成膜温度でＰ型シリコン基板４の温度は保持されている。
【００７６】
一方、実施の形態１と同様、溶液容器１５（第１の容器）内において、原料溶液１４をミスト化（霧化）させて原料溶液ミストＭ１を得るステップと、溶液容器１５と独立した溶液容器２５（第２の容器）内において、反応支援溶液２４をミスト化させて支援剤ミストＭ２を得るステップとを実行する。
【００７７】
そして、互いに独立した経路Ｌ１及びＬ２を介して得られる原料溶液ミストＭ１及び支援剤ミストＭ２が混合容器８内へ供給される。その後、混合容器８内において、原料溶液ミストＭ１と支援剤ミストＭ２とを混合して混合ミストＭ３を得るステップを実行する。この混合ミストＭ３がミスト出力口８３Ｏ（混合ミスト出力口）及び経路Ｌ３（第３の経路）を介して反応容器１１内のノズル１２に供給される。
【００７８】
そして、反応容器１１内において、大気圧下において加熱状態にあるＰ型シリコン基板４の裏面にノズル１２から混合ミストＭ３が供給される。加熱状態のＰ型シリコン基板４の裏面に混合ミストＭ３が噴霧されると、Ｐ型シリコン基板４の裏面上には、酸化アルミニウム膜からなる裏面パッシベーション膜５が成膜される。
【００７９】
このように、混合容器８内で得た混合ミストＭ３を反応容器１１内のノズル１２を介してＰ型シリコン基板４の裏面（一方主面）上に供給しつつ、Ｐ型シリコン基板４を加熱することにより、Ｐ型シリコン基板４の裏面上に裏面パッシベーション膜５を成膜する成膜ステップを実行している。
【００８０】
上述したように、混合容器８内で得た混合した混合ミストＭ３を、成膜ステップの実行時に、混合容器８と独立して設けられた反応容器１１内に供給することにより、裏面パッシベーション膜５の成膜速度を向上させて生産効率の向上を図ることができる。
【００８１】
さらに、成膜ステップ前に行う混合ミストＭ３の生成ステップの実行時に、混合容器８内において、原料溶液ミストＭ１と支援剤ミストＭ２とを混合させた混合ミストＭ３を得ることにより、原料溶液ミストＭ１と支援剤ミストＭ２とが十分反応した状態の混合ミストＭ３を安定して得ることができる。その結果、成膜ステップで成膜される裏面パッシベーション膜５の膜質向上を図ることができる。
【００８２】
加えて、互いに独立した溶液容器１５及び溶液容器２５内にて原料溶液ミストＭ１及び支援剤ミストＭ２を得ており、原料溶液ミストＭ１と支援剤ミストＭ２との反応は混合容器８内ではじめて行われる。このため、図７で示した従来の成膜装置２００のように、混合ミストＭ３の生成ステップの実行前に原料溶液ミストＭ１（原料溶液１８）と支援剤ミストＭ２（反応支援溶液２４）とが不必要に反応してしまう現象を確実に回避することにより、裏面パッシベーション膜５の膜質を高品質に保つことができる。
【００８３】
なお、実施の形態２の成膜装置１０２においても、実施の形態１の成膜装置１０１と同様に、ノズル１２にはオゾンガスＧ９が供給され、ノズル１２からＰ型シリコン基板４の裏面上に、混合ミストＭ３に加え、オゾンガスＧ９が供給される構成を採用しても良い。
【００８４】
（混合容器８の構造）
図５は図４で示した混合容器８の構造の詳細を示す説明図であり、図５(a) が上面図であり、図５(b) が図５(a) のＡ−Ａ断面を示す断面図である。図５(a) ，(b) それぞれにＸＹＺ直交座標系を示している。
【００８５】
図５に示すように、混合容器８は容器本体８０、ミスト供給部８１及び８２（第１及び第２のミスト供給部）、並びにミスト取り出し部８３から構成される。
【００８６】
容器本体８０は、内部に空間が形成される円筒形状を呈している。図５(a)における円状の破線部分、及び図５(b) における矩形の破線部分より内側の領域が容器本体８０内に形成される空間となる。
【００８７】
一方、内部空洞の円筒形状のミスト取り出し部８３は、容器本体８０の上面に設けられた開口部を介して、容器本体８０内に挿通されるように配設されている。ここで、上記開口部にミスト取り出し部８３が挿通されている状態において、ミスト取り出し部８３と容器本体８０との間はシールされている。なお、ミスト取り出し部８３内の空洞部分が内部経路Ｒ８３となる。
【００８８】
ミスト取り出し部８３は、容器本体８０の上面から挿通されており、上方（＋Ｚ方向側）の上面開口部のミスト出力口８３Ｏ（図４の出力部Ｏ３に相当）が容器本体８０外に存在し、下方（−Ｚ方向側）の下面開口部のミスト入力口８３Ｉ（混合ミスト入力口）が容器本体８０の内部に存在し、容器本体８０の底面から所定の高さの位置に配置されている。また、図５(a) に示すように、ミスト取り出し部８３は平面視して容器本体８０の中央部に設けられる。
【００８９】
上記構成のミスト取り出し部８３は、ミスト入力口８３Ｉより容器本体８０内で得られた混合ミストＭ３を受け、内部経路Ｒ８３を通過させてミスト出力口８３Ｏ（混合ミスト出力口）から混合ミストＭ３を取り出しており、ミスト取り出し部８３のミスト出力口８３Ｏから出力される混合ミストＭ３が経路Ｌ３を介して反応容器１１内に供給される。
【００９０】
そして、容器本体８０の側面内周部（図５の破線で円状に示す部分）とミスト取り出し部８３の側面外周部との間の空間によって、図５(a) に示すように、平面視して円周状に外周経路Ｒ８０（混合経路）が設けられる。
【００９１】
また、各々の内部に空洞を有するミスト供給部８１及び８２は容器本体８０の側面内周部の接線方向に沿って原料溶液ミストＭ１及び支援剤ミストＭ２を供給するように、容器本体８０の側面に設けられる。ミスト供給部８１及び８２における容器本体８０の外部側の先端部分であるミスト入力口８１Ｉ及び８２Ｉ（図４の入力部Ｉ１及びＩ２に相当）に経路Ｌ１及びＬ２が接続される。
【００９２】
すなわち、図５(a) に示すように、平面視して容器本体８０の上部（＋Ｙ方向）頂点付近にミスト供給部８１をＸ方向に平行に設け、原料溶液ミストＭ１を−Ｘ方向（上記上部頂点付近の接線方向）に沿って供給している。同様に、平面視して容器本体８０の下部（−Ｙ方向）頂点付近にミスト供給部８２をＸ方向に平行に設け、支援剤ミストＭ２を＋Ｘ方向（上記下部頂点付近の接線方向）に沿って供給している。
【００９３】
ミスト供給部８１及び８２は容器本体８０の側面において互いに同一の形成高さ（Ｚ方向における高さ）に設けられ、ミスト入力口８３Ｉはミスト供給部８１及び８２より低い形成高さに設けられる。
【００９４】
混合容器８は図５で示す構造を呈することにより、実施の形態２による裏面パッシベーション膜５の成膜方法は以下の効果を発揮することができる。
【００９５】
混合容器８内における混合ミストＭ３の生成ステップにおいて、原料溶液ミストＭ１と支援剤ミストＭ２とを外周経路Ｒ８０内を流通させながら混合して混合ミストＭ３を得ることにより、実施の形態１のようにノズル１２内で混合ミストＭ３を得る構成に比べ、確実に所望の性質を有する混合ミストＭ３を得ることができる。
【００９６】
加えて、ミスト供給部８１及び８２（第１及び第２のミスト供給部）とミスト入力口８３Ｉ（混合ミスト入力口）との間に高低差を設けることにより、原料溶液ミストＭ１と支援剤ミストＭ２とを混合して混合ミストＭ３を得るために十分な経路長を有する外周経路Ｒ８０を確保することができる。
【００９７】
すなわち、外周経路Ｒ８０内において、ミスト供給部８１及び８２から原料溶液ミストＭ１及び支援剤ミストＭ２が下方のミスト入力口８３Ｉに向かう過程で所望の性質を有する混合ミストＭ３を得るのに十分な反応時間が確保することができる。
【００９８】
なお、ミスト供給部８１及び８２は容器本体８０の側面において互いに同一の形成高さにした方が望ましいが、ミスト供給部８１，８２間の形成高さに違いがあっても、ミスト供給部８１，８２のうち低い方のミスト供給部とミスト入力口８３Ｉとの間に十分な高低差（混合ミストＭ３を得るのに十分な反応時間が確保することができる高低差）を確保することにより、同様な効果を達成することができる。
【００９９】
さらに、容器本体８０の側面内周部とミスト取り出し部８３の側面外周部との間の空間によって平面視して円周状に形成される外周経路Ｒ８０内において、原料溶液ミストＭ１と支援剤ミストＭ２とを回転運動させながら攪拌することができる。すなわち、原料溶液ミストＭ１及び支援剤ミストＭ２をそれぞれ平面視して反時計回り回転させて攪拌させつつ下方のミスト入力口８３Ｉに導くことができる。
【０１００】
その結果、原料溶液ミストＭ１と支援剤ミストＭ２とを効率良く混合させた混合ミストＭ３を外周経路Ｒ８０上で得ることができる。
【０１０１】
なお、実施の形態２では、容器本体８０の側面内周部及びミスト取り出し部８３の側面外周部を共に円状にして、平面視して円周状に外周経路Ｒ８０を設けた構造を採用した。この構造に代えて、容器本体８０の側面内周部及びミスト取り出し部８３の側面外周部を共に五角形以上の多角形状（望ましくは正多角形状）にして、平面視して多角形の外周状に外周経路を設けるようにしても良く、同様な効果を達成することができる。
【０１０２】
さらに、容器本体８０の側面内周部の接線方向に沿って原料溶液ミストＭ１及び支援剤ミストＭ２を供給するようミスト供給部８１及び８２を容器本体８０の側面に設けている。このため、ミスト供給部８１及び８２から外周経路Ｒ８０内への供給当初から原料溶液ミストＭ１及び支援剤ミストＭ２を効率的に回転運動させることができるため、原料溶液ミストＭ１と支援剤ミストＭ２とをより効率良く混合させた混合ミストＭ３を得ることができる。
【０１０３】
＜その他＞
なお、上述した実施の形態では、基板の一方主面上に形成する金属酸化膜の成膜方法として、太陽電池の製造方法におけるＰ型シリコン基板４の裏面上に裏面パッシベーション膜５を製造する例を示したが、上述した例に限定されないことは勿論である。例えば、Ｐ型シリコン基板４以外の基板としてガラス基板のような絶縁性基板を用いてもよく、パッシベーション膜以外の目的で金属酸化膜を形成してもよい。すなわち、本願発明は、ミスト法を用いて基板の一方主面上に金属酸化膜を成膜する金属酸化膜の成膜方法全般に適用可能であり、酸化アルミニウム膜等の金蔵酸化膜そのものの性能向上効果を奏している。
【０１０４】
上述した実施の形態では、原料溶液１４の金属源としてアルミニウムを示したが、金属塩、金属錯体または金属アルコキシド化合物が溶解した材料溶液であれば良く、原料溶液１４内に含まれる金属源は、成膜された金属酸化膜の用途に応じて任意に選択可能である。金属源としては、アルミニウム（Ａｌ）以外に、例えば、チタン（Ｔｉ）、亜鉛（Ｚｎ）、インジウム（Ｉｎ）及びスズ（Ｓｎ）、またはこれらの内の少なくとも何れか１つを採用することができる。
【０１０５】
ミスト供給部８１及び８２は原料溶液ミストＭ１及び支援剤ミストＭ２用に個別に設けたが、原料溶液ミストＭ１及び支援剤ミストＭ２を共通に受け、外周経路Ｒ８０内に同一箇所から供給する態様の１つの共通ミスト供給部を、ミスト供給部８１及び８２に代えて設けても良い。
【０１０６】
この発明は詳細に説明されたが、上記した説明は、すべての局面において、例示であって、この発明がそれに限定されるものではない。例示されていない無数の変形例が、この発明の範囲から外れることなく想定され得るものと解される。すなわち、本発明は、その発明の範囲内において、各実施の形態を自由に組み合わせたり、各実施の形態を適宜、変形、省略したりすることが可能である。
【符号の説明】
【０１０７】
４  Ｐ型シリコン基板
５  裏面パッシベーション膜
８  混合容器
１１  反応容器
１２  ノズル
１３  加熱器
１４  原料溶液
１５，２５  溶液容器
１６，２６  ミスト化器
２４  反応支援溶液
８０  容器本体
８１，８２  ミスト供給部
８３  ミスト取り出し部
１０１，１０２  成膜装置
Ｌ１〜Ｌ３  経路
Ｒ８０  外周経路
【図１】
2016203595.tif 000003
【図２】
2016203595.tif 000004
【図３】
2016203595.tif 000005
【図４】
2016203595.tif 000006
【図５】
2016203595.tif 000007
【図６】
2016203595.tif 000008
【図７】
2016203595.tif 000009
【国際調査報告】
2016203595.tif 000010
2016203595.tif 000011
2016203595.tif 000012
2016203595.tif 000013